【手続補正書】
【提出日】令和3年12月2日(2021.12.2)
【手続補正１】
【補正対象書類名】特許請求の範囲
【補正対象項目名】全文
【補正方法】変更
【補正の内容】
【特許請求の範囲】
【請求項１】
ビデオエンコーディングの方法であって、
ビデオのピクチャ内のブロックのイントラ予測のために使用される基準サンプルの組にアクセスすることと、
前記ブロックの形状に、且つ、イントラ予測方向に、基づいて、前記基準サンプルの組を処理することと、
前記処理された基準サンプルの組に基づいて前記ブロック用の予測ブロックを生成することと、
前記予測ブロックに基づいて前記ブロックをエンコーディングすることと、
を有する方法。
【請求項２】
前記処理は、前記ブロック形状を表す特性がある値を超える際に有効化される請求項１に記載の方法。
【請求項３】
前記特性は、前記ブロックの最大寸法、前記ブロックの対角線、及び前記ブロックの寸法の重み付けされた合計のうちの１つである請求項２に記載の方法。
【請求項４】
非正方形ブロックの場合に、前記処理は、前記ブロックの最小寸法の方向における少なくとも１つのイントラ予測モードについて無効化される請求項１に記載の方法。
【請求項５】
請求項１に記載の方法用のプログラムコード命令を含むソフトウェアプログラムを担持する一時的ではないコンピュータ可読ストレージ媒体。
【請求項６】
請求項１に記載のビデオエンコーディング用の方法によってエンコーディングされたデータを含むようにフォーマットされたビットストリーム。
【請求項７】
ビデオのピクチャ内のブロックの予測のために使用される基準サンプルの組にアクセスし、
前記ブロックの形状に基づいて前記基準サンプルの組を処理し、
前記処理された基準サンプルの組に基づいて前記ブロック用の予測ブロックを生成し、且つ、
前記予測ブロックに基づいて前記ブロックをエンコーディングする、
ように適合された電子回路を有するビデオエンコーディング用の装置。
【請求項８】
前記処理は、前記ブロック形状を表す特性がある値を超える際に有効化される請求項７に記載の装置。
【請求項９】
前記特性は、前記ブロックの最大寸法、前記ブロックの対角線、及び前記ブロックの寸法の重み付けされた合計のうちの１つである請求項８に記載の装置。
【請求項１０】
非正方形ブロックの場合に、前記処理は、前記ブロックの最小寸法の方向における少なくとも１つの予測モードについて無効化される請求項７に記載の装置。
【請求項１１】
前記処理は、前記基準サンプルの組をスムージングフィルタリングすることを含む請求項７に記載の装置。
【請求項１２】
ビデオデコーディングの方法であって、
エンコーディングされたビデオのピクチャ内のブロックの予測のために使用される基準サンプルの組にアクセスすることと、
前記ブロックの形状に基づいて前記基準サンプルの組を処理することと、
前記処理された基準サンプルの組に基づいて前記ブロック用の予測ブロックを生成することと、
前記予測ブロックに基づいて前記ブロックをデコーディングすることと、
を有する方法。
【請求項１３】
前記処理は、前記ブロック形状を表す特性がある値を超える際に有効化される請求項１２に記載の方法。
【請求項１４】
前記特性は、前記ブロックの最大寸法、前記ブロックの対角線、及び前記ブロックの寸法の重み付けされた合計のうちの１つである請求項１３に記載の方法。
【請求項１５】
非正方形ブロックの場合に、前記処理は、前記ブロックの最小寸法の方向における少なくとも１つのイントラ予測モードについて無効化される請求項１２に記載の方法。
【請求項１６】
エンコーディング済みのビデオのピクチャ内のブロックの予測のために使用される基準サンプルの組にアクセスし、
前記ブロックの形状に基づいて前記基準サンプルの組を処理し、
前記処理された基準サンプルの組に基づいて前記ブロック用の予測ブロックを生成し、且つ、
前記予測ブロックに基づいて前記ブロックをエンコーディングする、
ように適合された電子回路を有するビデオデコーディング用の装置。
【請求項１７】
前記処理は、前記ブロック形状を表す特性がある値を超える際に有効化される請求項１６に記載の装置。
【請求項１８】
前記特性は、前記ブロックの最大寸法、前記ブロックの対角線、及び前記ブロックの寸法の重み付けされた合計のうちの１つである請求項１７に記載の装置。
【請求項１９】
非正方形ブロックの場合に、前記処理は、前記ブロックの最小寸法の方向において少なくとも１つのイントラ予測モードについて無効化される請求項１６に記載の装置。
【請求項２０】
前記処理は、前記基準サンプルの組をスムージングフィルタリングすることを含む請求項１６に記載の装置。
【請求項２１】
請求項１に記載の方法を実行するプログラムコード命令を含むコンピュータプログラムプロダクト。
【手続補正２】
【補正対象書類名】明細書
【補正対象項目名】０１５７
【補正方法】変更
【補正の内容】
【０１５７】
[00154]  例示用の実施形態が添付図面を参照して本明細書において記述されているが、本開示はこれらの実施形態そのままに限定されるものではなく、且つ、本開示の範囲を逸脱することなしに、様々な変更及び変形が当業者によって実施されうることを理解されたい。これに加えて、個々の実施形態は、本開示の範囲を逸脱することなしに組み合わせることができる。すべてのこのような変更及び変形は、添付の請求項において記述されている本開示の範囲に含まれることが意図される。
（付記１）
ビデオエンコーディングの方法（１３００）であって、
ビデオのピクチャ内のブロックの予測のために使用される基準サンプルの組にアクセスすること（１３１０）と、
前記ブロックの形状に基づいて前記基準サンプルの組を処理すること（１３２０）と、
前記処理された基準サンプルの組に基づいて前記ブロック用の予測ブロックを生成すること（１３３０）と、
前記予測ブロックに基づいて前記ブロックをエンコーディングすること（１３４０）と、
を有する方法。
（付記２）
ビデオエンコーディング用の装置であって、
ビデオのピクチャ内のブロックの予測のために使用される基準サンプルの組にアクセスする手段と、
前記ブロックの形状に基づいて前記基準サンプルの組を処理する手段と、
前記処理された基準サンプルの組に基づいて前記ブロック用の予測ブロックを生成する手段と、
前記予測ブロックに基づいて前記ブロックをエンコーディングする手段と、
を有する装置。
（付記３）
ビデオデコーディングの方法（１５００）であって、
エンコーディング済みのビデオのピクチャ内のブロックの予測のために使用される基準サンプルの組にアクセスすること（１５１０）と、
前記ブロックの形状に基づいて前記基準サンプルの組を処理すること（１５２０）と、
前記処理された基準サンプルの組に基づいて前記ブロック用の予測ブロックを生成すること（１５３０）と、
前記予測ブロックに基づいて前記ブロックをデコーディングすること（１５４０）と、
を有する方法。
（付記４）
ビデオデコーディング用の装置であって、
エンコーディング済みのビデオのピクチャ内のブロックの予測のために使用される基準サンプルの組にアクセスする手段と、
前記ブロックの形状に基づいて前記基準サンプルの組を処理する手段と、
前記処理された基準サンプルの組に基づいて前記ブロック用の予測ブロックを生成する手段と、
前記予測ブロックに基づいて前記ブロックをエンコーディングする手段と、
を有する装置。
（付記５）
前記処理は、前記ブロック形状と関連する機能がある値を超えている際に有効化される付記１及び３のいずれか１つに記載の方法又は付記２及び４のいずれか１つに記載の装置。
（付記６）
前記機能は、前記ブロックの最大寸法、前記ブロックの対角線、及び前記ブロックの寸法の重み付けされた合計のうちの１つである付記５に記載の方法又は付記５に記載の装置。
（付記７）
前記処理は、予測モードに更に基づいている付記５及び６のいずれか１つに記載の方法又は付記５及び６のいずれか１つに記載の装置。
（付記８）
前記処理は、前記機能が前記値を超えている際に少なくとも１つの予測モードについて有効化される付記８に記載の方法又は付記８に記載の装置。
（付記９）
非正方形ブロックの場合に、前記処理は、前記ブロックの最小寸法の方向における少なくとも１つの方向予測モードについて無効化される付記１、３、及び５乃至８のいずれか１つに記載の方法又は付記２、４、及び５乃至８のいずれか１つに記載の装置。
（付記１０）
少なくとも１つのフラグが、前記エンコーディング済みのビデオに含まれており、前記少なくとも１つのフラグは、前記値と前記処理が有効化されるかどうかのうちの少なくとも１つを通知している付記５乃至９のいずれか１つに記載の方法又は付記５乃至９のいずれか１つに記載の装置。
（付記１１）
前記処理は、前記基準サンプルの組をスムージングフィルタリングすることを含む付記１、３、及び５乃至１０のいずれか１つに記載の方法又は付記２、４、及び５乃至１０のいずれか１つに記載の装置。
（付記１２）
前記予測は、前記ブロック形状に基づいている付記１、３、及び５乃至１１のいずれか１つに記載の方法又は付記２、４、及び５乃至１１のいずれか１つに記載の装置。
（付記１３）
付記１、３、及び５乃至１２のいずれか１つに記載の方法を実行するプログラムコード命令を含むコンピュータプログラムプロダクト。
（付記１４）
付記１、３、及び５乃至１２のいずれか１つに記載の方法用のプログラムコード命令を含むソフトウェアプログラムを担持するコンピュータ可読ストレージ媒体。
（付記１５）
ピクチャのブロックを表すエンコーディング済みのデータを含むようにフォーマッティングされたビットストリームであって、前記エンコーディング済みのデータは、付記１及び５乃至１２のいずれか１つに従ってエンコーディングされるビットストリーム。